(57)【要約】      （修正有）【課題】宣伝広告用、展示陳列用の看板・物品の表面を、側面から、拡大／縮小し、あたかも空中浮遊しているがごとき、視認、演出可能な光屈折器具を提供する。【解決手段】看板の平面方向に、隣接し、立てかけるように、レンズの一部からなる光屈折器具を立設配置する。本光屈折器具は、上部から下部方向に向かって、屈折度を、略単調減少もしくは略単調増加ならしめるように、断面形状を構成する。これにより、本看板の表面を光学的に屈折せしめ、本看板と反対側の側面部より、本看板の空中浮遊させた、拡大／縮小された屈折像を視認可能とする。さらに、光屈折器具の外観形状として、円筒型にすることにより、全方位より、同時に、展示物が、浮遊、拡大／縮小されて、視認可能となる。また、看板等の交換も、簡単に交換可能である。【選択図】図１０
0003142264.tif 000002
【実用新案登録請求の範囲】
【請求項１】
展示表示板の平面方向に、隣接するように、立設配置し、
上記表示板の表面を光学的に屈折せしめ、
上記表示板と反対側の側面部より、上記表示板の屈折像を視認可能とする光屈折器具において、
入射光線に対する出射光線の屈折度が、
本屈折器具の上部から下部方向に向かって、略単調減少もしくは略単調増加ならしめるように、
断面形状が形成されたことを特徴とする光屈折器具。
【請求項２】
展示表示板に、隣接している側面部を、凹形状とし、
上記表示板の屈折による視認対象範囲を拡げるような断面形状にした
ことを特徴とする請求項１記載の光屈折器具。
【請求項３】
展示表示板と反対側の側面部を、凸形状とし、
上記表示板の屈折による像を拡大せしめる断面形状にした
ことを特徴とする請求項１記載の光屈折器具。
【請求項４】
外観形状として、棒形状、湾曲形状、湾曲レンズ形状、円筒型形状のいずれかで形成されている
ことを特徴とする請求項１、２、３記載の光屈折器具。
【考案の詳細な説明】
【技術分野】
【０００１】
本考案は、例えば、宣伝広告用、展示陳列用の看板・物品の表面を、側面から、拡大／縮小し、あたかも空中浮遊しているがごとき、視認、演出可能な光屈折器具に関する。
【背景技術】
【０００２】
従来、光屈折器具の典型として、プリズムを利用したものが一般である。
図１では、従来技術の１１０なるプリズムによる屈折原理説明図を示している。
これによると、プリズム１１０の頂角αにより、屈折方向を制御することが可能となっている。
図で示したごとく、プリズム１１０の側面部に隣接し、立てかけ配置（立設配置）して、平面状に置かれた１なる看板の１０１なる看板表示面などの平面画像を、屈折により、右方の側面部から、視認可能とすることができる。
【０００３】
側面から看板を見せる技術として、特許文献１では、「タイル型ディスプレイ装置」が提案されている。
これによると、宣伝広告用のディスプレイ装置の前面に、ディスプレイの両側に行くにしたがって、屈折率が徐々に大きくなるレンズ部を備えた技術が提案されている。
【０００４】
また、応用先の観点は異なるが、同様の光屈折の応用技術として、特許文献２では、ＣＤ円盤表面を、薄いＣＤケースの側面から、光屈折により、視認化した技術が開示されている。
【０００５】
また、特許文献３では、「３Ｄパネルディスプレイ」が提案されている。
これによると、マイクロレンズで形成された３Ｄシートを展示品の前面に配置することにより、展示品を空中浮遊させたごとき視認させる効果を持たせることができる。
【０００６】
【特許文献１】特開２００２−２３６７４号公報
【特許文献２】特許第３４８８４５５号公報
【特許文献３】実用新案登録第３１２５１１３号公報
【考案の開示】
【考案が解決しようとする課題】
【０００７】
看板を側面から見るために、プリズム利用だけの場合、広い範囲をプリズムで見ようとすると、平面画像が、いわゆる滑走路や水平面を見た場合と同様に、見る角度に応じて、像が傾いて、遠近の像間隔が密になって見え、広範囲の視認化、像の拡大率の向上にあたり、限界があった。
【０００８】
特許文献１の「タイル型ディスプレイ装置」においては、ディスプレイのサイズを覆うような形の縦横サイズが適合した特殊な大きいサイズのレンズを準備する必要があり、そのため、特殊なレンズが高価になることになる。
また、レンズが表示部分全体を覆う形状のため、本技術を、紙などの看板掲示に適用した場合、看板の差し替えのために、レンズの開閉、側面部からの挿抜による差し替えなどの構造上複雑になり、看板交換の作業性にも問題があった。
【０００９】
特許文献３の「３Ｄパネルディスプレイ」においては、３Ｄパネルと展示品が配置されている前面方向に対してのみ、空中浮遊の演出を可能としているだけで、あらゆる方向に立っている観客に対して、視認可能としていない。
あらゆる方向から、展示品を視認可能とするためには、回転台の上に載せる方法があるが、回転台の回転速度に応じて、観客は、視認できる位置まで回転してくるまで、待たされることになる。
【００１０】
そこで、本考案では、光の屈折度をある規則で配列せしめた光学素子からなる光屈折器具を、看板全体を覆うことなく、看板や、比較的平面形状の展示物品に隣接して立てかける（立設配置）だけで、看板、物品と反対側の側面部から、看板、物品の表面を、視認可能とすることにある。
本光屈折器具を使用することにより、看板や展示物品の交換に当たっても、光屈折器具の取り外し、移動をすることなく、交換作業が簡単になる。
【００１１】
本考案では、看板や物品の表面からの入射光線に対して、所定の範囲を、所定の方向へ屈折させ、所定の率で、拡大／縮小せしめ、かつ、きれいな像を得るために、屈折度（後述で定義）を整配列せしめた光屈折器具を提供することにある。
【００１２】
さらに、レンズを、看板や物品を取り囲むように、立設配置するか、円筒形状（環状）にすることにより、内部の看板、物品の表面を、全方位から、同時に、空中浮遊しているような演出を可能とする光屈折器具を提供することを目的とする。
【課題を解決するための手段】
【００１３】
本考案の光学装置は、上記課題を解決するため、下記、構成としている。
ここで、以下の「展示表示板」とは、看板のように平面形状である必要は無く、古文書、腕時計など、立体的な展示物品に関しても、物品表面を表示面とみなして、本考案が、実質的に、適用されている場合も含まれる。
【００１４】
展示表示板の平面方向に、隣接し、立てかけるように、立設配置し、上記表示板の表面を光学的に屈折せしめ、本表示板と反対側の側面部より、本表示板の屈折像を視認可能とする光屈折器具において、
（１）入射光線に対する出射光線の屈折度が、本屈折器具の上部から下部方向に向かって、略単調減少もしくは略単調増加ならしめるように、断面形状が形成されている。
（２）展示表示板に、隣接し、向かい合っている側面部を、凹形状とし、本表示板の屈折による視認対象範囲を拡張せしめる断面形状にする。
（３）展示表示板と反対側の側面部を、凸形状とし、本表示板の屈折像を拡大せしめる断面形状にする。
（４）外観形状として、棒形状、湾曲形状、湾曲レンズ形状、円筒型形状のいずれかで形成されている。
【考案の効果】
【００１５】
本考案に係る光屈折器具によれば、展示表示板を、側面方向からも、対象品表面の所要の範囲を、拡大／縮小するよう、さらに、全方位に、空中浮遊せしめるようにしたことにより、下記効果を有する光屈折器具を提供する。
（１）棚の上、出入り口、車の屋根など、これまで、デッドスペースと思われていた場所を活用することができ、展示場所の省スペース化を図ることができる。
（２）展示表示板の交換に関しても、光屈折器具の移動、撤去などを不要にし、また、構造上の影響を受けることなく、交換が可能である。
（３）円筒型形状にすることにより、全方位または必要方位範囲分から、同時に、拡大／縮小され、浮遊した像が、視認可能である。
【考案を実施するための最良の形態】
【００１６】
「屈折率」は、媒体、媒質の組み合わせで、同一の値を持つ指数であるが、本明細書で言う「屈折度」は、所要とする表示面範囲からの入射光線の角度と、屈折された出射光線の屈折される度合いとして、以下のように定義する。
図２では、本考案に係る屈折度を説明する断面図を示している。
一般的な、２なる光学素子（一般的な凹レンズ、凸レンズに限らず、光を屈折させるあらゆる光学素子含む）における３なる入射光線と４なる出射光線との関係を示している。ここで、角度θは、入射光線３と出射光線４ではさまれる角度を示している。
【００１７】
本明細書では、この角度θを、入射点における「屈折度」と定義する。
角度θの符号として、入射光線３に対して、出射光線４が図示の右回り方向に屈折される方向を、“プラス”と定義する。逆方向は、“マイナス”と定義づける。
ちなみに、プリズムの場合は、この値は、どの入射点でも、同じ角度で入射された光線は、同じ屈折度を受けることになる。
以下、単調増加／単調減少は、符号も含んでいるものとする。
【００１８】
図３は、本考案に係る動作説明の断面図を示している。
２０１なる凸レンズ上半分の一部（以下、レンズ２０１と略称）を、看板１の看板表示面１０１が見える方向で隣接し、立設配置した場合の断面図と、入射光線３、屈折光線４との関係を示している。
この場合、一般に、入射光線３は、右焦点（図示せず）に向かうべく、出射光線４が出射される。
入射光線３と出射光線４間の屈折度として、上部から、θ０、θ１、・・・θｎが得られることを示している。
レンズ２０１の上部を通過する光ほど、大きな屈折を受けることになる。
この時、一般に、凸レンズの作用も加わり、１０２なる看板表示面虚像は、図示したように、浮き上がった拡大虚像に見えることになる。
【００１９】
図４は、本考案に係る動作を説明している棒グラフ図を示している。
本棒グラフは、図３のレンズ２０１の入射点における屈折度の変化を示している。
縦軸は、入射点を示し、上方がレンズ上部、下方がレンズ下部に対する入射点であることを示している。
横軸は、屈折度を示し、各入射点における屈折度を示している。
本図によれば、図３のような光線が入射された場合、屈折度は、入射点の上部から下部に向かって、θ０、θ１、・・・θｎと、大きい値から小さい値に、単調減少により、整配列されていることがわかる。
【００２０】
図５は、本考案に係る動作説明の断面図を示している。
２０２なる凹レンズ下半分の一部（以下、レンズ２０２と略称）を、看板１の看板表示面１０１が見える方向で隣接し、立設配置した断面図と、入射光線３、屈折光線４との関係を示している。
この場合、一般に、入射光線３は、左焦点（図示せず）から出たように発散する形で、出射光線４が出射される。
また、同様に、入射光線３と出射光線４間の屈折度として、上部から、θ０、θ１、・・・θｎが得られることを示している。
レンズ２０２の下部を通過する光ほど、大きな屈折を受けることになる。
この時、一般に、凹レンズの作用も加わり、看板表示面虚像１０２は、図示したように、凸レンズほどではないが、少し浮き上がり、縮小虚像に見えることになる。
【００２１】
図６は、本考案に係る動作を説明している棒グラフ図を示している。
本棒グラフは、図５のレンズ２０２の入射点における屈折度の変化を示している。
縦軸は、入射点を示し、上方がレンズ上部、下方がレンズ下部に対する入射点であることを示している。
横軸は、屈折度を示し、各入射点に対応する屈折度を示している。
本図によれば、図５のような光線が入射された場合、屈折度は、入射点の上部から下部に向かって、θ０、θ１、・・・θｎと、小さい値から大きい値に、単調増加により、整配列されていることがわかる。
【００２２】
上記、単調増加／単調減少に関して、光屈折器具の最上端から最下端まで完全にカバーされている必要は無く、本考案の目的を実現するために、きれいな像を得るために、支障無い範囲で、実質、ほぼ、単調増加／単調減少状態を利用している状態であれば良い。
【００２３】
図７は、本考案の光屈折器具の断面図を示している。
看板などの視認範囲、拡大率、出射光線の方向など、所要目的とする数値を効率的に得ることができる、断面形状の例を示している。
７なる光屈折器具は、三角プリズムの断面形状を基本として、点線からなる斜辺を径として、７０１なる内円、７０２なる外円で構成したものである。
【００２４】
かかる構成にしたことにより、以下の制御が容易になり、コンピュータシミュレーションにより、使用するパラメータの組み合わせ範囲（角度など）も限定しやすくなり、最適な数値を効率的に求めやすくなった。
（１）内円７０１と外円７０２ではさまれたプリズムの頂角に相当する角度で、屈折する度合を制御する。
（２）内円７０１の半径と外円７０２の半径および凹凸の組み合わせで、像の拡大率を制御することができる。
（３）内円７０１の形状を、看板表示面１０１に対して、凹にするか凸にするか、とその大きさ、配置角度θａで、看板表示面１０１からの入射光線３の捉える捕捉範囲の制御を可能とする。ここで、凹にすると、多くの入射光線３の束を捉えることができ、視認範囲を広げることができる。
（４）外円７０２の配置角度θｂにより、出射光線４の出射方向を制御する。
【００２５】
以上のことから、適用するための最良の組合せとしては、図７の凹凸で例示したように、内円７０１を凹にして、広い範囲の入射光線を捕捉し、外円７０２を凸にして、屈折像を拡大する組合せが望ましい。
【００２６】
但し、上記条件で、数値を決めていく上でも、屈折度を、単調増加または単調減少するべく整配列させる、ということは、本考案の光屈折器具の必須条件となる。
そのため、本例の形状にこだわるものではなく、別のレンズ形状や、断面形状が、円に限らず、他の曲線、直線の組み合わせで、実現されてもいいことは言うまでもない。
【００２７】
図８は、本考案に係る外観図を示している。
本考案の光屈折器具として特徴を備えた断面形状を持つ光屈折器具の各種外観形状を示している。
図８（ａ）では、８０１なる棒形状、図８（ｂ）では、看板表面の平面方向からの広い視野も確保するべき、湾曲させた８０２なる湾曲形状を示している。
図８（ｃ）では、さらに、看板表面の平面方向の広い視野に加えて、看板表面の平面方向に拡大機能を備えた湾曲レンズ形状を示している。
図８（ｄ）は、図８（ｃ）の平面断面図を示している。
【００２８】
図９は、本考案に係る外観斜視図を示している。
さらに、看板表面の平面方向に、３６０度の視野を確保するため、円筒型にした９なる円筒型光屈折器具を示している。
また、必要に応じて、必要方位範囲分の部分的な円筒型形状としてもよい。
以下の実施例では、本考案の光屈折器具として、上記で説明した器具の中から、適宜、最適なものが選択される。
【実施例１】
【００２９】
図１０は、本考案に係る断面図を示している。
本考案の１０なる光屈折器具を、１００１なる商品を陳列するための１００２なる商品棚の上の空きスペースを利用した場合を示している。
店舗などにおいては、商品１００１を展示するスペース確保を最優先としており、宣伝広告場所の確保に苦慮している。商品棚１００２の上部は、デッドスペースになっており、売り場の使用効率を高めるためにも、商品棚の上部利用は有効となる。
【００３０】
ここで、光屈折器具１０は、買い物客から視認できる所要の角度に屈折せしめるべく、かつ、きれいな像を得るために、上部から下部に向かって、単調減少／単調増加するように、屈折度の配列を整えている。
これにより、看板表示面１０１の画像は、看板表示面虚像１０２のごとく、浮遊、拡大／縮小せしめ、出射光線４が下方向に出力され、買い物客から、視認可能となっている。
【実施例２】
【００３１】
図１１は、本考案に係る斜視図を示している。
看板表示面１０１、光屈折器具１０を、店舗の出入り口壁１１に取り付けた例を示している。
店舗の出入り口には、万引き防止ゲートなどを設置しているスペースがあり、かつ、買い物客の出入りもあることから、そのスペースを利用して、看板を取り付けたくなる場所でもある。
ところが、出入りする買い物客にとって、出入り口壁１１に取り付けられた看板表示面１０１を、斜めから見させられることになり、看板が見づらくなる。
そのため、本考案の光屈折器具１０を、看板表示面１０１に隣接して、上下方向に取り付けることにより、出入り口を通過する買い物客にとって、斜めから、看板表示面１０１を視認し易くしている。
【実施例３】
【００３２】
図１２は、本考案に係る断面図を示している。
本考案の円筒型光屈折器具９を、看板、絵画や書物などの展示に利用した場合を示している。
本円筒型光屈折器具９を使用することにより、展示表示面１２０１の屈折された展示表示面虚像１２０２、１２０３が、図示のように、形成される。
これにより、全周囲の観察者に向かって、同時に、円筒型光屈折器具９の側面部から、拡大／縮小されて、浮き上がって見えることになる。
【００３３】
以上の例示から、さらに、本考案の他への応用として、タクシーの屋根に看板を取り付け、屋根の周縁部に、本考案の光屈折器具を取り付けることにより、路上を歩く通行人から、看板を視認可能とすることも可能である。
【００３４】
また、比較的上方にある食品、薬品の保管棚の保管口自身に、こういう光屈折器具の機能を持たせることにより、棚内部の奥を視認可能としたり、比較的上方にあるものの掲示や管理に応用可能であることは、いうまでもない。
【００３５】
適用する絵画として、水槽、風景などを使用し、絵を浮遊させることにより、実際の水槽の代用や、立体的な縮小風景モデルの代用として使用可能である。
また、壁画に取り付けることにより、壁画が浮遊する演出効果も可能となる。
さらに、店舗だけでなく、美術館、博物館、病院の待合室など、リラックスさせる場所に、適用することは有用である。
【００３６】
以上、本考案の説明において、看板、物品など、静的な媒体で説明したが、本考案適用に当たり、電子ＰＯＰ（Ｐｏｉｎｔ  ｏｆ  Ｐｕｒｃｈａｓｅ）装置で、代表される宣伝用の電子的ディスプレイ装置画面にも同様に適用可能である。
【００３７】
また、取り付け場所に応じて、視認可能となる視角の微調整を行うためには、現実問題として、取り付け具と併用することが望ましい。
その結果、取り付け具による光屈折器具の取り付け方向の微調整を可能とし、光屈折器具の量産規格品化を可能とする。
【００３８】
さらに、上記光屈折器具を、フレネルレンズ化により、薄型化、軽量化を図ることも可能である。
【図面の簡単な説明】
【００３９】
【図１】従来技術に係るプリズムを例とした原理説明図である。
【図２】本考案に係る屈折度を説明する断面図である。
【図３】本考案に係る光屈折器具の動作を説明する断面図である。
【図４】本考案に係る光屈折器具の動作を説明する棒グラフ図である。
【図５】本考案に係る光屈折器具の動作を説明する断面図である。
【図６】本考案に係る光屈折器具の動作を説明する棒グラフ図である。
【図７】本考案に係る光屈折器具の動作を説明する断面図である。
【図８】本考案に係る光屈折器具の外観図である。
【図９】本考案に係る光屈折器具の斜視図である。
【図１０】本考案に係る光屈折器具の実施例を説明する断面図である。
【図１１】本考案に係る光屈折器具の実施例を説明する斜視図である。
【図１２】本考案に係る光屈折器具の実施例を説明する断面図である。
【符号の説明】
【００４０】
１  看板
２  光学素子
３  入射光線
４  出射光線
７  光屈折器具
９  円筒型光屈折器具
１０  光屈折器具
１１  出入り口壁
１０１  看板表示面
１０２  看板表示面虚像
１１０  プリズム
２０１  凸レンズ上半分の一部
２０２  凹レンズ下半分の一部
７０１  内円
７０２  外円
８０１  棒形状
８０２  湾曲形状
８０３  湾曲レンズ形状
８０４  湾曲レンズの平面断面
１００１  商品
１００２  商品棚
１２０１  展示表示面
１２０２  展示表示面虚像
１２０３  展示表示面虚像
【図１】
0003142264.tif 000003
【図２】
0003142264.tif 000004
【図３】
0003142264.tif 000005
【図４】
0003142264.tif 000006
【図５】
0003142264.tif 000007
【図６】
0003142264.tif 000008
【図７】
0003142264.tif 000009
【図８】
0003142264.tif 000010
【図９】
0003142264.tif 000011
【図１０】
0003142264.tif 000012
【図１１】
0003142264.tif 000013
【図１２】
0003142264.tif 000014